(57)【要約】【課題】スピーカーから伝わる振動を抑制しスピーカーから良好な音響を得るスピーカースタンドを提供すること。【解決手段】スピーカーが載置される載置面１１３と床面に設置される底面１１６とを有する複数の支持部１１０によってスピーカーを支持するスピーカースタンド１００であって、支持部１１０の載置面１１３側と底面１１６側とにおいて、複数の支持部１１０同士が連結板１３０によって連結され、支持部１１０は、一の方向に対する強度が他の方向に対する強度より高い材料（強度異方性材料）によって形成され、この強度の高い方向によってスピーカーを支持し、連結板１３０は、支持部１１０とは異なる材料によって形成されていること。【選択図】図１
2011049954.tif 000002
【特許請求の範囲】
【請求項１】
スピーカーが載置される載置面と床面に設置される底面とを有する複数の支持部によって前記スピーカーを支持するスピーカースタンドであって、
前記支持部の前記載置面側と前記底面側とにおいて、前記複数の支持部同士が連結部によって連結され、
前記支持部は、一の方向に対する強度が他の方向に対する強度より高い材料によって形成され、この強度の高い方向によってスピーカーを支持し、
前記連結部は、前記支持部とは異なる材料によって形成されていることを特徴とするスピーカースタンド。
【請求項２】
前記支持部は少なくとも前記載置面が形成される支柱部分と前記底面が形成される脚部分とによって構成されていることを特徴とする請求項１記載のスピーカースタンド。
【請求項３】
前記支柱部分と前記脚部分とは別のパーツからなり、前記底面側において前記複数の支持部同士を連結する前記連結部と前記脚部分とが接合されることによって前記支柱部分を支持する底板を構成することを特徴とする請求項２記載のスピーカースタンド。
【請求項４】
前記支柱部分と前記脚部分とは、別のパーツからなり、固定部材によって互いに固定されることを特徴とする請求項２又は請求項３記載のスピーカースタンド。
【請求項５】
前記固定部材はセルフタップネジからなり、
前記支柱部分に穿設された前記セルフタップネジのための孔径と前記脚部分に穿設された前記セルフタップネジのための孔径とはいずれも前記セルフタップネジのネジ山外径より小であることを特徴とする請求項４記載のスピーカースタンド。
【請求項６】
前記支柱部分と前記脚部分とは前記支柱部において一体に形成されていることを特徴とする請求項２記載のスピーカースタンド。
【発明の詳細な説明】
【技術分野】
【０００１】
本発明は、スピーカースタンドに関する。
【背景技術】
【０００２】
従来、スピーカーの本来の音響性能を発揮させることを目的として、スピーカーを床面等に直接載置するのではなく、床面から所定の高さに安定して載置するためのスピーカースタンドが広く利用されている。例えば、特許文献１には、楽器に使用される木材から形成される複数枚の響板部が、床面に対して略水平状に設置可能なベース盤に対し、所定の平面配置となるようにして垂設、一体化され、それぞれの上端側を自由端構造となるように形成し、該自由端面がスピーカー載置面となるスピーカースタンドが開示されている。
【０００３】
また、特許文献２には、硬質または比較的硬質の木質板から硬質芯材を形成し、その表裏両面に、該硬質芯材材質よりも軟質で、同硬質芯材と同じ上下巾寸法を有する木質板からなる抱合材を積層し、一体化して支持板部とした上、該支持板部における表裏抱合材の各露出面下端には、同支持板部を起立状に支持する脚部を突設、一体化したスピーカースタンドが開示されている。このスピーカースタンドは２個を一組とし、少なくともその一組の基本ベースの中の一方が他方に対して直交状配置となるよう組み合わされた上、各スピーカースタンドの支持板部上側面の少なくとも硬質芯材が、スピーカー底面に密着状に当接、支持し得るようにしたものである。
【先行技術文献】
【特許文献】
【０００４】
【特許文献１】特開２０００−３２４５７９号公報（請求項１，［００１８］〜［００２０］、図１）
【特許文献２】特開２００１−１８９９７９号公報（請求項１，［００１６］〜［００２１］、図１〜３）
【発明の概要】
【発明が解決しようとする課題】
【０００５】
特許文献１及び特許文献２に開示されるスピーカースタンドは、減衰しきれないエンクロージャの振動を活かして良質な音響の再生に貢献させることを目的とするもので、スピーカーからの本来の音響にスピーカースタンドによる共鳴を合成することによって奥行きのある音響を作り出すものである。
【０００６】
しかしながら、本来、スピーカースタンドはエンクロージャから床面等に伝わる振動を抑制し、また床面からエンクロージャに伝わる振動も抑制することが理想であり、これによりスピーカー本来の音響性能が発揮されるものである。してみると、特許文献１及び特許文献２に開示されるスピーカースタンドは、スピーカー本来の音響に対して余計な音を付加しているため本来の音響が損なわれている虞がある。
【０００７】
本発明は、上述した事情に鑑みてなされたものであり、上述のような問題を解決することを課題の一例とするものであり、このような課題を解決することができるスピーカースタンドを提供することを目的とする。
【課題を解決するための手段】
【０００８】
上記課題を解決するために、請求項１記載の発明に係るスピーカースタンドは、スピーカーが載置される載置面と床面に設置される底面とを有する複数の支持部によって前記スピーカーを支持するスピーカースタンドであって、前記支持部の前記載置面側と前記底面側とにおいて、前記複数の支持部同士が連結部によって連結され、前記支持部は、一の方向に対する強度が他の方向に対する強度より高い材料によって形成され、この強度の高い方向によってスピーカーを支持し、前記連結部は、前記支持部とは異なる材料によって形成されていることを特徴とする。
【図面の簡単な説明】
【０００９】
【図１】本発明の一実施の形態に係るスピーカースタンドの構成を示す斜視図である。
【図２】本発明の一実施の形態に係るスピーカースタンドの構成を示す平面図である。
【図３】本発明の一実施の形態に係るスピーカースタンドの構成を示す正面図である。
【図４】本発明の一実施の形態に係るスピーカースタンドの構成を示す底面図である。
【図５】図２のＡ−Ａ断面図である。
【図６】本発明の他の実施の形態に係るスピーカースタンドの構成を示す斜視図である。
【図７】本発明の他の実施の形態に係るスピーカースタンドの構成を示す平面図である。
【図８】本発明の他の実施の形態に係るスピーカースタンドの構成を示す正面図である。
【図９】本発明の他の実施の形態に係るスピーカースタンドの構成を示す底面図である。
【図１０】図７のＢ−Ｂ断面図である。
【図１１】（ａ）セルフタップネジの取付状態を説明するための断面模式図である。（ｂ）鬼目ナット及びボルトの取付状態を説明するための断面模式図である。
【発明を実施するための形態】
【００１０】
以下、本発明の実施形態について図面を参照しながら具体的に説明する。便宜上、同一の作用効果を奏する部分には同一の符号を付け、その説明を省略する。
実施の形態１．
図１は、実施の形態１に係るスピーカースタンドを示す斜視図である。スピーカースタンド１００は、垂直に設けられた３個の支持部１１０Ｌ，１１０Ｒ，１１０Ｂ（総称する場合は「支持部１１０」とする）と該支持部１１０Ｌ，１１０Ｒ，１１０Ｂの上部側において支持部１１０Ｌ，１１０Ｒ，１１０Ｂを互いに連結する天板１２０と該支持部１１０Ｌ，１１０Ｒ，１１０Ｂの底面側において支持部１１０Ｌ，１１０Ｒ，１１０Ｂを互いに連結する連結板１３０（図４、図５参照）と該連結板１３０を介して支持部１１０Ｌ，１１０Ｒ，１１０Ｂに連結され該支持部１１０Ｌ，１１０Ｒ，１１０Ｂに密接されるベース１４０とによって構成されている。なお、図示例においては支持部１１０が３個である例を示しており、正面左側、正面右側、後方に配置された支持部をそれぞれ支持部１１０Ｌ，１１０Ｒ，１１０Ｂとしているが、本発明の効果を奏するものであればこれに限定されず、例えば２個や４個以上であっても構わない。
【００１１】
各支持部１１０Ｌ，１１０Ｒ，１１０Ｂは、柱状の支柱部分１１２Ｌ，１１２Ｒ，１１２Ｂ（総称する場合は「支柱部分１１２」とする）と、該支柱部分１１２Ｌ，１１２Ｒ，１１２Ｂの下端部において支柱部分１１２より太く形成される脚部分１１５Ｌ，１１５Ｒ，１１５Ｂ（総称する場合は「脚部分１１５」とする）とが一体に形成されてなる。各支柱部分１１２Ｌ，１１２Ｒ，１１２Ｂの上端部は、図２及び図３に示すように、スピーカーが載置される載置面１１３Ｌ，１１３Ｒ，１１３Ｂ（総称する場合は「載置面１１３」とする）となっており、該載置面１１３には所定の形状をもった一段低い段部１１４Ｌ，１１４Ｒ，１１４Ｂ（総称する場合は「段部１１４」とする）が形成される。なお、段部１１４は図２において、破線によって描かれている。
【００１２】
段部１１４は、支持部１１０を所定の配置とした状態で段部１１４Ｌ，１１４Ｒ，１１４Ｂ間に天板１２０が架設されるように、天板１２０の外縁形状に合わせた形状となっている。図示例においては、支持部１１０が段部１１４側を中心に向けた放射状に配置されることにより、段部１１４間に天板１２０が架設されるものである。天板１２０には、架設された際に段部１１４に重畳する位置にネジ用孔１２１が設けられており、固定部材としてのネジによって天板１２０が支持部１１０に固定されることで、各支持部１１０の上端部側が互いに連結部としての天板１２０を介して連結される。
【００１３】
支持部１１０の脚部分１１５は、支柱部分１１２よりも一軸方向に対して広く形成されている。そのため、図１、図５に示すように側面視において支持部は逆Ｔ字状となっている。底面図である図４、図５に示すように、脚部分１１５の下端部は、床面に設置するための底面１１６Ｌ，１１６Ｒ，１１６Ｂ（総称する場合は「底面１１６」とする）となっており、該底面１１６には所定の形状をもった段部１１７Ｌ，１１７Ｒ，１１７Ｂ（総称する場合は「段部１１７」とする）が上方側に向かって形成されている。該段部１１７は、支持部１１０を所定の配置としたときに、段部１１７Ｌ，１１７Ｒ，１１７Ｂ間に連結板１３０が嵌設されるものであり、連結板１３０の形状に合わせた形状となっている。
【００１４】
実施例においては、支持部１１０が段部１１７側を中心に向けた放射状に配置されることにより、段部１１７間に連結板１３０が嵌設されるものである。なお、各脚部分１１５の中心側端部はそれぞれ平面視において所定の角度をもって形成されているため、支持部１１０が段部１１７側を中心に向けた放射状に配置された際に、図４に破線で示すように、各脚部分１１５の端部側が密接する。連結板１３０には、嵌設された際に段部１１７に重畳する位置にネジ用孔１３１が設けられており、固定部材としてのネジによって連結板１３０が支持部１１０に固定されることで、各支持部１１０の下端部側である脚部分１１５側が互いに連結部としての連結板１３０を介して連結される。
【００１５】
ベース１４０は、図１に示すように放射状に配置された支持部１１０Ｌ、１１０Ｒ間に設けられる前部ベース１４０Ｆと、支持部１１０Ｒ，１１０Ｂ間に設けられる右部ベース１４０Ｒと、支持部１１０Ｌ，１１０Ｂ間に設けられる左部ベース１４０Ｌとからなる。また、図４に示すように、前部ベース１４０Ｆ、右部ベース１４０Ｒ及び左部ベース１４０Ｌは、それぞれ所定の中心角θＦ，θＲ，θＬをもった略扇形状を呈し各脚部１１５間に配置され、連結板１３０に設けられたネジ用孔１３３に対して固定部材としてのネジによって固定されることで、連結板１３０を介して支持部１１０に連結されるとともに互いに連結される。なお、前部ベース１４０Ｆ、右部ベース１４０Ｒ及び左部ベース１４０Ｌには、支持部１１０の脚部分１１５に設けられた段部１１７と同様に、それぞれ上方側に向かって形成される段部１４７Ｆ，１４７Ｒ，１４７Ｌ（総称する場合は「段部１４７」とする）が設けられており、該段部１４７に連結板１３０が嵌設されて固定されるものである。ベース１４０の形状は図示例に限られず、支柱部１１０の配置等に応じて適宜変更することができる。
【００１６】
支持部１１０の脚部分１１５において、床面に設置するための底面１１６にはスパイク１５０を設けることができる。スパイク１５０は例えば略円錐状からなり、底面１１６に対して着脱自在とすることによりスピーカースタンド１００の設置環境に応じて着脱することができる。
【００１７】
以下、スピーカースタンド１００を構成する各部の材料について説明する。支持部１１０の材料は、一の方向に対する強度が他の方向に対する強度より高い性質（強度異方性）を有し且つ内部損失が比較的高い材料であり、例えば合板、集成材、単板積層材（ＬＶＬ）等の木製材料や炭素繊維、ガラス繊維等を用いた繊維強化樹脂等の複合材料が利用される（以下、このような材料を「強度異方性材料」という）。
【００１８】
木製材料の原料である木材は、繊維方向（道管方向）の強度が繊維方向に直交する方向の強度に比し高いという性質を持っている。合板は、複数の薄い単板を繊維方向に交差させて積層し接着させたものであるから、単板の積層方向の強度より平面方向（積層方向に直交する方向）の強度が高くなっている。集成材は、薄い板材の繊維方向を揃えて接着剤等によって貼り合わせたものであるから、繊維方向の強度が繊維方向に直交する方向より高くなっている。また、ＬＶＬは、複数の薄い単板の繊維方向を揃えて積層し接着させたものであるから、繊維方向の強度が積層方向の強度より高くなっている。なお、合板では、単板の平面方向の強度はいずれの向きでも略同じ強度であるが、同じように単板を積層したＬＶＬでは、単板の繊維方向が揃っているため、単板の平面方向において繊維方向の強度が最も高くなっている。
【００１９】
また、繊維強化樹脂は繊維の方向に対する強度が高くなるものであるから、繊維方向が一方向に揃っている場合には、前記ＬＶＬのように、繊維方向の強度が繊維方向に直交する方向より高くなっている。そして、繊維方向が平面方向に揃っている場合には、前記合板のように、平面方向の強度が平面方向に直交する方向より高くなっている。なお、繊維方向が平面方向に揃う場合とは、例えば繊維方向が一方向に揃ったものを繊維方向に交差させて積層する場合等である。
【００２０】
支持部１１０は、このような強度異方性材料によって形成され、強度の高い方向が垂直となってスピーカーを支持するように用いられる。例えば、材料を合板として支持部１１０を形成する場合、合板の積層方向より強度の高い平面方向が垂直になるようにする（積層方向が水平になる）。また、支持部１１０の材料としてＬＶＬを使用する場合には、ＬＶＬの繊維方向が垂直になるようにする。さらに、支持部１１０の材料として繊維強化樹脂を使用する場合には、繊維方向が一方向に揃っている場合には繊維方向が垂直になるようにして、繊維方向が平面方向に揃っている場合には平面方向が垂直になるようにする。
【００２１】
このように強度異方性材料において強度が高い方向を垂直として支持部１１０を設けることにより、スピーカーが載置される載置面１１３から床面に設置される底面１１６まで強固に支持することができ、スピーカーからの振動や床面からの振動が抑制されるため共振等が発生し難く、スピーカーのもつ本来の音響性能を損ない難くなる。
【００２２】
本実施例においては、例えば支持部１１０が強度異方性材料である合板によって形成される。そして、天板１２０及びベース１４０が例えば中密度繊維板（ＭＤＦ）によって形成され、連結板１３０が例えばアルミニウムによって形成されている。このようにスピーカーを支持するための各支持部１１０を構成する材料と硬さ、強度又は密度等が異なる材料によって、天板１２０、ベース１４０又は連結板１３０を形成して支持部１１０を強固に連結することにより、材料のもつ固有の共振点の違いから共振点が分散してピーク・ディップの発生が抑制され、スピーカーのもつ本来の音響性能を損ない難くなる。
【００２３】
実施の形態２．
図６は、本発明の実施の形態２に係るスピーカースタンドを示す斜視図である。スピーカースタンド２００は、垂直に設けられた３個の支柱部２１０Ｌ、２１０Ｒ、２１０Ｂ（総称する場合は「支柱部２１０」とする）と該支柱部２１０Ｌ、２１０Ｒ、２１０Ｂの上部側において支柱部２１０Ｌ、２１０Ｒ、２１０Ｂを互いに連結する天板２２０と該支柱部２１０Ｌ、２１０Ｒ、２１０Ｂの下端部が固定される底板２３０とによって構成されている。なお、図示例においては支柱部２１０が３個である例を示しており、正面左側、正面右側、後方に配置された支柱部をそれぞれ支柱部２１０Ｌ、２１０Ｒ、２１０Ｂとしているが、これに限定されず、例えば２個や４個以上であっても本発明の効果を奏するものであれば構わない。
【００２４】
各支柱部２１０Ｌ，２１０Ｒ，２１０Ｂの上端部は、図７及び図８に示すように、スピーカーが載置される載置面２１３Ｌ，２１３Ｒ，２１３Ｂ（総称する場合は「載置面２１３」とする）となっており、該載置面２１３には所定の形状をもった一段低い段部２１４Ｌ，２１４Ｒ，２１４Ｂ（総称する場合は「段部２１４」とする）が形成される。なお、図７において、段部２１４は破線によって描かれている。なお、各載置面２１３には滑り止め７０を設けることとしてもよい。
【００２５】
段部２１４は、支柱部２１０が所定の配置となった状態で段部２１４Ｌ，２１４Ｒ，２１４Ｂ間に天板２２０が架設されるように、天板２２０の外縁形状に合わせた形状となっている。図示例においては、支柱部２１０が段部２１４側を中心に向けた放射状に配置されることにより、段部２１４間に天板２２０が架設されるものである。天板２２０には、架設された際に段部２１４に重畳される位置にネジ用孔２２１が設けられており（図１０参照）、固定部材としてのセルフタップネジ３０によって天板２２０が支柱部２１０に固定されることで、支柱部２１０の上端部側が互いに連結部としての天板２２０を介して連結される。なお、天板２２０の上面には防振材８０を設けることとしてもよい。
【００２６】
このセルフタップネジ３０によるネジ留めは、図１１（ａ）に示すように、天板２２０に穿設されたネジ用孔２２１と支柱部２１０に穿設されたネジ用孔２１１を共締めすることによって行われる。これは、天板側からセルフタップネジ３０がねじ込まれることによってなされるが、この際、従来のように天板２２０側に穿設されたネジ用孔２２１の内径をセルフタップネジ３０のネジ山の外径より大きくすると、セルフタップネジ３０の外周とネジ用孔２２１の内周との間に空間が形成され、該空間によってスピーカーから伝わる振動が共振する虞がある。
【００２７】
そこで、天板２２０に穿設されるネジ用孔２２１の内径２２０Ｄをセルフタップネジ３０のネジ山の外径３０Ｄより小さく形成することにより、セルフタップネジ３０の外周とネジ用孔２２１の内周との間に空間が形成されず共振が起こらないようにしてある。なお、好ましくは、（セルフタップネジ３０のネジ山の外径３０Ｄ）＞（天板２２０のネジ用孔２２１の内径２２０Ｄ）＞（支柱部２１０のネジ用孔２１１の内径２１０Ｄ）とすることにより、支柱部２１０の位置出しを容易に行うことができる。このように天板２２０と支柱部２１０との固定は、セルフタップネジ３０によるネジ留めで十分な強度を確保できるが、例えば接着剤等を併用することによりさらに強固に固定することができる。
【００２８】
なお、天板２２０と支柱部２１０との固定は、例えば図１１（ｂ）に示すように固定部材として鬼目ナット（埋込ナット）とボルトを用いて行っても構わない。これは天板２２０に穿設された孔に鬼目ナット３７を、支柱部２１０に穿設された孔に鬼目ナット３９をそれぞれ圧入し、鬼目ナット３７，３９にボルト３５を螺合させることによって行うことができる。このように、鬼目ナットを用いて固定した場合にも、ボルト３５の周囲に空間が形成されないので、共振が起こることがない。
【００２９】
なお、セルフタップネジ３０、ボルト３５の頭部は、いずれも螺合した際には天板２２０から飛び出さないように設計されているが、図示されるように天板２２０の上面より支柱部２１０の上面が高くなっているため、仮に飛び出すことがあっても支柱部２１０の上面以上に突出することがないようになっている。
【００３０】
支柱部２１０の下端部が固定される底板２３０は、図９に示すように、支柱部２１０の断面積より大なる断面積をもつ脚部２１５Ｌ，２１５Ｒ，２１５Ｂ（総称する場合は「脚部２１５」とする）と該脚部２１５を所定の配置に固定するベース２４０とが接着剤等によって接合されることで一体に形成される。図示例においては、脚部２１５Ｌ，２１５Ｒ，２１５Ｂが放射状に配置されている。このように配置された際に、各脚部２１５の中心側端部はそれぞれ平面視において所定の角度をもって形成されているため、図９に破線で示すように、各脚部２１５の端部側が密接する。
【００３１】
ベース２４０はこのように配置された脚部２１５Ｌ、２１５Ｒ間に設けられる前部ベース２４０Ｆと、脚部２１５Ｒ，２１５Ｂ間に設けられる右部ベース２４０Ｒと、脚部２１５Ｌ，２１５Ｂ間に設けられる左部ベース２４０Ｌとからなる。これにより、前部ベース２４０Ｆ、右部ベース２４０Ｒ及び左部ベース２４０Ｌが各脚部２１５間に密接して配置された状態で固定することができる。なお、実施例においては、図１０に示すように底板２３０の上面及び下面が底板２３０と同じ平面形状の保護板２３５，２３７によって覆われている。
【００３２】
図１０に示すように、支柱部２１０の下端部は一回り小さく削られた接合部２１２となっており、該接合部２１２が底板２３０の各脚部２１５の位置に設けられた凹部（座グリ）２３５（図９において二点差線で示す）に嵌合し、底板２３０の下面に設けられたネジ用孔２３３からセルフタップネジ３０によってネジ留めされる。これによって、支柱部２１０は底板２３０の特に脚部２１５と連結される。この実施例において、連結された支柱部２１０及び脚部２１５によってスピーカーが支持されるため、この支柱部２１０及び脚部２１５をあわせて支持部ということができる。そして、脚部２１５とともに底板２３０を構成するベース２４０は支持部を連結する連結部であるということができる。
【００３３】
なお、支柱部２１０と底板２３０とのセルフタップネジ３０によるネジ留めは、上述の支柱部２１０と天板２２０とのネジ留めと同様に、底板２３０に穿設されるネジ用孔２３３の内径をセルフタップネジ３０のネジ山の外径より小さく形成することにより、セルフタップネジ３０の外周と底板２３０のネジ用孔２３３の内周との間に空間が形成されないように行われる。そして、好ましくは、（セルフタップネジ３０のネジ山の外径）＞（底板２３０のネジ用孔２３３の内径）＞（支柱部２１０のネジ用孔２１７の内径）とすることにより、支柱部２１０の位置出しも容易に行うことができる。なお、底板２３０と支柱部２１０との固定は、セルフタップネジ３０によるネジ留めで十分な強度を確保できるが、例えば接着剤等を併用することによりさらに強固に固定することができる。
【００３４】
底板２３０の脚部２１５からは、床面に設置するためのスパイク１５０を着脱自在に設けることができる。なお、実施例においては底板２３０の下面が保護板２３７によって覆われているため、保護板２３７に開口２３９を設けて脚部２１５に直接スパイク１５０を取り付けることになる。
【００３５】
以下、スピーカースタンド２００を構成する各部の材料について説明する。支柱部２１０の材料は、実施の形態１と同様に強度異方性材料が、強度の高い方向が垂直となってスピーカーを支持するように用いられる。例えば、材料を合板として支柱部２１０を形成する場合、合板の積層方向より強度の高い平面方向が垂直になるようにする（積層方向が水平になる）。また、支柱部２１０の材料としてＬＶＬを使用する場合には、ＬＶＬの繊維方向が垂直になるようにする。さらに、支柱部２１０の材料として繊維強化樹脂を使用する場合には、繊維方向が一方向に揃っている場合には繊維方向が垂直になるようにして、繊維方向が平面方向に揃っている場合には平面方向が垂直になるようにする。
【００３６】
そして、底板２３０における脚部２１５の材料も強度異方性材料が、強度の高い方向が垂直となって支柱部２１０を支持するように用いられる。このとき、支柱部２１０に使用される強度異方性材料と脚部２１５に使用される強度異方性材料とは同じ材料が選択されることが好ましく、実施例においてはいずれも合板が用いられている。これより、スピーカーが載置される支柱部２１０の載置面２１３から床面に設置される脚部２１５の下面まで同じ強度異方性材料によって強固に支持することができ、スピーカーからの振動や床面からの振動が抑制されるため共振等が発生し難く、スピーカーのもつ本来の音響性能を損ない難くなる。
【００３７】
また、天板２２０の材料として、強度異方性材料を強度の高い方向を垂直として用いることができる。実施例においては、天板２２０が支柱部２１０及び脚部２１５と同様に合板によって形成されている。これによって、天板２２０、支柱部２１０、脚部２１５が強度異方性材料によって強度の高い方向を垂直としてスピーカーを支持するように形成されるため、スピーカーをより強固に支持することができる。
【００３８】
本実施例においては、例えば支柱部２１０、脚部２１５及び天板２２０が強度異方性材料である合板によって形成される。そして、底板２３０におけるベース２４０及び保護板２３５，２３７は、例えばＭＤＦのように支柱部２１０、脚部２１５を構成する材料と硬さ、強度又は密度等が異なる材料によって形成されている。このように、底板２３０が異種材料である脚部２１５とベース２４０及び保護板２３５，２３７との強固な接合によって構成されていることにより、材料のもつ固有の共振点の違いから共振点が分散してピーク・ディップの発生が抑制され、スピーカーのもつ本来の音響性能を損ない難くなる。
【００３９】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。また、上述の各実施の形態は、その目的及び構成等に特に矛盾や問題がない限り、互いの技術を流用することができる。
【００４０】
例えば、強度異方性材料については、例示した材料以外であっても、一の方向に対する強度が他の方向に対する強度より高い性質を有し且つ内部損失が比較的高い材料であれば、使用できるものである。また、それ以外の材料についても様々な種類の材料が使用可能であり、例えばＭＤＦに替えてその他の木質再構成材料や人工大理石のような硬質合成樹脂等を使用できるものである。
【００４１】
また、本発明における実施の形態では、安定してスピーカーを支持するように３個の支持部が放射状に配置されている例を示したが、これに限定されず、支持部のうちのいくつかを例えば平行に配置するなど特定のデザイン性をもたせるように構成しても構わない。
【００４２】
また、連結部と支持部との接合方法や支柱部と脚部との接合方法（例えばベース１４０と脚部分１１５との接合方法、ベース２４０と脚部２１５との接合方法、支柱部２１０と脚部２１５との接合方法）として、ネジ留めや接着剤等による固定方法を示したが、これに限定されず、例えば、ほぞ・溝の加工やくさび等を用いたいわゆる継手や仕口といわれる方法によって固定しても構わない。
【００４３】
また、実施の形態１においてＭＤＦによって形成される天板１２０を実施の形態２における天板２２０の材料である合板によって形成することとしても良いし、反対に天板２２０をＭＤＦによって形成しても構わない。
【符号の説明】
【００４４】
３０…セルフタップネジ、３０Ｄ…外径
１００…スピーカースタンド、
１１０（１１０Ｌ，１１０Ｒ，１１０Ｂ）…支持部、１１２（１１２Ｌ，１１２Ｒ，１１２Ｂ）…支柱部分、１１３（１１３Ｌ，１１３Ｒ，１１３Ｂ）…載置面、１１４（１１４Ｌ，１１４Ｒ，１１４Ｂ）…段部、１１５（１１５Ｌ，１１５Ｒ，１１５Ｂ）…脚部分、１１６（１１６Ｌ，１１６Ｒ，１１６Ｂ）…底面、１１７（１１７Ｌ，１１７Ｒ，１１７Ｂ）…段部、１２０…天板、１３０…連結板、１３３…ネジ用孔、１４０（１４０Ｆ，１４０Ｒ，１４０Ｌ）…ベース（前部ベース、右部ベース、左部ベース）、１４７（１４７Ｆ，１４７Ｒ，１４７Ｌ）…段部、１５０…スパイク、
２００…スピーカースタンド、
２１０（２１０Ｌ、２１０Ｒ、２１０Ｂ）…支柱部、２１０Ｄ…内径、２１１…ネジ用孔、２１２…接合部、２１３（２１３Ｌ，２１３Ｒ，２１３Ｂ）…載置面、２１４（２１４Ｌ，２１４Ｒ，２１４Ｂ）…段部、２１５（２１５Ｌ，２１５Ｒ，２１５Ｂ）…脚部、２１７…ネジ用孔、２２０…天板、２２０Ｄ…内径、２２１…ネジ用孔、２３０…底板、２３３…ネジ用孔、２３５，２３７…保護板、２３９…開口、２４０（２４０Ｆ，２４０Ｒ，２４０Ｌ）…ベース（前部ベース、右部ベース、左部ベース）
【図１】
2011049954.tif 000003
【図２】
2011049954.tif 000004
【図３】
2011049954.tif 000005
【図４】
2011049954.tif 000006
【図５】
2011049954.tif 000007
【図６】
2011049954.tif 000008
【図７】
2011049954.tif 000009
【図８】
2011049954.tif 000010
【図９】
2011049954.tif 000011
【図１０】
2011049954.tif 000012
【図１１】
2011049954.tif 000013